(57)【特許請求の範囲】
【請求項１】
洗浄するべき人間の体寸法を測定するためのスキャン装置（１）と、
それぞれに体寸法開口部（３）を備えた少なくとも２つの成形体（２）であって、前記体寸法開口部（３）が洗浄するべき人間のポーズと対応する、２つの成形体（２）と、
前記成形体（２）の体寸法開口部（３）を通って、洗浄するべき人間を搬送する搬送装置（４）と、および、
水、石鹸、または、泡が噴射される噴射ノズル（５）を、前記スキャン装置（１）の検出結果に応じて調整する調整手段と、を含み、
前記成形体（２）の少なくとも１つが、調整可能な噴射ノズル（５）を含み、
前記噴射ノズル（５）と洗浄するべき人間との距離が、前記スキャン装置（１）によって測定された洗浄するべき人間の体寸法に調整される、人体洗浄装置。
【請求項２】
前記スキャン装置（１）が第一の成形体に配置されている、請求項１に記載の人体洗浄装置。
【請求項３】
人体洗浄装置全体が１つの容器（６）内に配置されている、請求項１〜２のいずれか一項に記載の人体洗浄装置。
【請求項４】
各成形体の間に避難扉（７）が前記容器（６）内に配置されている、請求項３に記載の人体洗浄装置。
【請求項５】
前記噴射ノズル（５）が、洗浄するべき人間が全面的に濡れることを保証するように配置されている、請求項１〜４のいずれか一項に記載の人体洗浄装置。
【請求項６】
前記噴射ノズル（５）が、該噴射ノズルの噴霧角度が変更可能に調整可能であるように構成されている、請求項５に記載の人体洗浄装置。
【請求項７】
少なくとも１つの成形体が発泡体ローラーを含む、請求項１〜６のいずれか一項に記載の人体洗浄装置。
【請求項８】
洗浄するべき人間のコンベヤーベルト方向に左右に配置されている発泡体ローラーを含む成形体の各開口部がそれぞれ２つの発泡体ローラーを含む、請求項７に記載の人体洗浄装置。
【請求項９】
少なくとも１つの成形体が空気ノズルを含む、請求項１〜８のいずれか一項に記載の人体洗浄装置。
【請求項１０】
前記空気ノズルがスリット状に形成されている、請求項９に記載の人体洗浄装置。
【請求項１１】
前記空気ノズル用の空気を暖めるための加熱装置を備えた、請求項９〜１０のいずれか一項に記載の人体洗浄装置。
【請求項１２】
香料を分散するための装置を備えた、請求項１〜１１のいずれか一項に記載の人体洗浄装置。
【請求項１３】
香料を分散するための前記装置が４つの香料拡散器ノズルから構成される、請求項１２に記載の人体洗浄装置。
【請求項１４】
特定の石けん及び／又は特定の香料を選択するための制御装置を備えた、請求項１〜１３のいずれか一項に記載の人体洗浄装置。
【発明の詳細な説明】
【技術分野】
【０００１】
本発明は、人体を洗浄するための装置に関する。
【０００２】
人体を洗浄するために又は洗うためにシャワー装置を使用することが公知である。そのような、少なくとも定置されたシャワー装置は、人体のすべての箇所を洗浄できるよう、例えば固定的に設置された噴射ノズル又は取外し可能なシャワーヘッドを含み得る。例えば特許文献１は、複数の水噴霧ノズル、洗剤噴霧ノズル及びエアフローノズルを使用して人体を洗浄するための装置を示しており、その際すべてのノズルは洗浄するべき体と最小距離を保つように配置されている。洗い工程を開始する時、洗浄するべき体を水噴霧ノズルからの水で濡らし、続いて例えば石けん乳剤が洗剤として洗剤噴霧ノズルから加えられる。このようにして、洗剤で濡らされた体は、次に再度水噴霧ノズルから水が洗剤を洗い落とすために放出されて、この洗剤が除去される。体を乾かすために、エアフローノズルから温風が放出される。噴霧水も石けん乳剤も、目的に合わせて適温にされる。本装置はさらに制御装置を有してよく、この制御装置はセンサーで検知された洗浄するべき人間の大きさに従って、ノズルを洗浄するべき人体に対する所与の最小距離に調整する。
【０００３】
特許文献２、特許文献３、特許文献４及び特許文献５ではキャビンが公知であり、その中で例えば入浴者が例えば日焼け止め又は他のボディケア製品を調節可能な噴射ノズルを使って噴霧化する。このキャビンも、使用者それぞれの体格に合わせて噴射ノズルを調節する装置を含んでいてよい。日焼け止め又はケア剤を塗布した後、使用者は自分で分散させてすり込むことができる。
【背景技術】
【０００４】
特許文献６は、場合によっては、人間の皮膚を従来の布を使って乾かしていけない特定の病気の場合に人体を乾燥させるための可動式温風乾燥機を示している。またリューマチ性の痛みの温風／熱風又は冷風治療のためにこの装置を使用することができる。可動式温風乾燥機は、空気を加熱して分散するための熱風発生器、揮発性物質のための一体型容器、及び複数の曲げやすく回転可能及び調整可能なノズルを備えた少なくとも１つの温風チャンネル、ならびに空気の強さと熱を選択した使用に応じて制御するための制御装置を含む。
【０００５】
上述の全ての装置では、それぞれ唯一人の人間だけが、シャワーキャビン、乾燥キャビン、又はローションキャビンを、洗浄工程又は塗布工程全体のために使用可能である。たとえ、例えば水ノズルだけがシャワーキャビン内で使用される場合でも、同時に他の人間が乾燥ノズルを使用することはできない。なぜならこれは噴射ノズルと同じキャビンに配置されているからである。
【０００６】
人体の周囲を囲む、気流を生じさせるための他の装置は特許文献７に、クリーンルームの入口範囲と共に示されている。入室する人間のほこりと付着した衣服の汚れを除去するため、特許文献７による入口範囲は歩行ベルトを備え、そのベルトは入室する人間のほぼ歩行速度で、しかし入室する人間の歩行方向と反対の方向に動き、その結果入室する人間の前進運動がほぼ相殺され、上から来る空気流がほこりと汚れの粒子を入室する人間の衣服から吹き飛ばすことができる。
【０００７】
特許文献８は自動化された入浴装置を示しており、この装置は、上から支持フレームに支持され搬送される直立した多数の患者又は人間を洗って乾かすものである。すべての公知の洗浄装置において、洗浄するべき人間は、必要な洗浄を対応する姿勢によって避けることができるように自由に動くことができる。
【先行技術文献】
【特許文献】
【０００８】
【特許文献１】独国特許第４３２５９７１Ｃ１号明細書
【特許文献２】米国特許第６，３０２，１２２Ｂ１号明細書
【特許文献３】国際公開第２００４／０６９３２２Ａ１号パンフレット
【特許文献４】米国特許出願公開第２００２／００９６１８６Ａ１号明細書
【特許文献５】独国特許出願公開第１９７２１３７３Ａ１号明細書
【特許文献６】ドイツ実用新案Ｇ８９１６０９８
【特許文献７】特開平１０−８９７４０号明細書
【特許文献８】米国特許第３，４８３，５７２号明細書
【発明の概要】
【発明が解決しようとする課題】
【０００９】
本発明の課題は例えば、洗浄するべき人間の洗浄を所定の身体部位で保証する人体洗浄装置を提供することである。
【課題を解決するための手段】
【００１０】
この課題を解決するために、請求項１の特徴を備えた人体洗浄装置が提案される。有利な発展形態の特徴は、それぞれ従属請求項に示される。
【００１１】
本発明による人体洗浄装置は、体寸法、例えば大きさ及び幅のような、洗浄するべき人間の周囲寸法を測定するためのスキャン装置と、体寸法開口部を備えた少なくとも２つの成形体を含み、その際この開口部は洗浄するべき人間のポーズ、つまり姿勢に対応し、搬送装置を含み、その搬送装置は成形体を通って洗浄するべき人間を搬送し、その際成形体の少なくとも１つが調整可能な噴射ノズルを含み、それと洗浄するべき人間との距離が、スキャン装置によって測定された洗浄するべき人間の体寸法に合わせて調整される。
【００１２】
有利な一実施形態により、スキャン装置は搬送方向に見て第一の成形体に配置されている。
【００１３】
別の有利な一実施形態により、人体洗浄装置全体は容器内に配置されている。この容器は、ここでは可搬式の貨物コンテナであり得る。
【００１４】
別の有利な一実施形態により、容器内に配置されている人体洗浄装置内の各成形体の間に避難扉が配置されている。
【００１５】
別の有利な一実施形態により、噴射ノズルは洗浄するべき人間が全面的に濡れることを保証するように配置されている。
【００１６】
別の有利な一実施形態により、人体洗浄装置の成形体の少なくとも１つが発泡体ローラーを含んでいる。
【００１７】
別の有利な一実施形態により、人体洗浄装置の成形体の少なくとも１つが、例えば洗浄した人間を乾燥又は暖めるための空気ノズルを含んでいる。
【００１８】
別の有利な一実施形態により、人体洗浄装置が空気を暖めるための加熱装置を含み、この空気は空気ノズルを通って放出される。
【００１９】
別の有利な一実施形態により、人体洗浄装置は香料を分散させるための装置を含んでいる。
【００２０】
別の有利な一実施形態は、特定の石けん及び／又は特定の香料を選択するための制御装置を備えている。
【００２１】
本発明による人体洗浄装置は、例えば体験シャワーとして、販売促進活動として（例えば化粧品産業、スポーツ業界など）又は固定的に設置されて遊園地で使用することができる。また祭りやイベント、縁日で洗浄及び／又は娯楽のために本発明による人体洗浄装置が使用され得る。さらに本発明による人体洗浄装置は、スイミングプール、体験型プールの洗浄装置として、又は活力回復及びリラックスのためのさまざまなノズルを取り付けて、スパエリアでも採用され得る。それに対応して、その人は適用に応じて裸で、又は水着で、又は例えば速乾性のマイクロファイバー肌着を着て洗浄され得る。さらなる適用は、例えば芸術インスタレーションであってよく、その場合例えば水ではなくペイントがノズルから噴射される。しかしまた、例えば技術的社会奉仕団体、赤十字、連邦軍のための、例えば閉じられた自浄型水循環系を備えた可動型シャワー装置として、本発明による人体洗浄装置は、例えば危機的な地域や難民施設に病気の拡散を減らすために使用することができるだろう。例えば化学薬物を添加することで、本発明による人体洗浄装置は空港又は病院でも、例えば汚染された犠牲者の汚染除去のために使用できる。
【００２２】
以下では図を使用して本発明の例となる実施形態を詳細に説明する。
【図面の簡単な説明】
【００２３】
【図１】本発明による人体洗浄装置の一実施例の斜視図である。
【図２】輸送コンテナ内に配置された本発明による人体洗浄装置の模式的略図である。
【図３ａ】異なる形の体寸法の開口部を備えた、成形体の例となる実施形態の図である。
【図３ｂ】異なる形の体寸法の開口部を備えた、成形体の例となる実施形態の図である。
【図３ｃ】異なる形の体寸法の開口部を備えた、成形体の例となる実施形態の図である。
【図３ｄ】異なる形の体寸法の開口部を備えた、成形体の例となる実施形態の図である。
【図３ｅ】異なる形の体寸法の開口部を備えた、成形体の例となる実施形態の図である。
【図３ｆ】異なる形の体寸法の開口部を備えた、成形体の例となる実施形態の図である。
【発明を実施するための形態】
【００２４】
本発明の実施形態の例の斜視図が図１に示されている。例として図１にはスキャン装置１が人体洗浄装置の第一の成形体２内に配置されている。スキャン装置の仕事は、洗浄するべき人間の体寸法を検出することである。このため、スキャン装置は、例えば１つの側及び／又は上から、例えばレーザーダイオードから送られるレーザービームを使用し、向かい合っているレーザーダイオードの側で感光性の検出器を使用して検出し、例えば人体の縦方向、幅及び／又は奥行き方向の大きさを確認し得る。洗浄するべき人間の体寸法を検出するためのスキャン装置は、図１に示されているように成形体１の中に配置されている必要はなく、成形体から独立した別個の装置としても、例えば人体洗浄装置への立ち入りの際の第一の要素として配置されてよい。また洗浄するべき人間の体寸法を測定するために、例えばタッチセンサーを備えた接触感知式検出器のような、他の種類の検出器を使用することもできる。本発明による人体洗浄装置は、さらに搬送装置４を含み、この搬送装置は洗浄する人間が立ち入り、それにより洗浄装置を通って搬送される。搬送装置４はその際、例えば空港に使用されるコンベヤーベルトのように、例えばゴム又は金属製の波形要素から形成され得る。有利には搬送装置は駆動ユニット、例えば電気モーター又は燃焼機関によって駆動される。適用分野により、電力供給は例えば自前の電力供給がない国では、例えばソーラー電力を自身で発電することができる。そのために本発明による人体洗浄装置は、固有の太陽電池とバッテリーの形でエネルギー蓄積装置を備えた太陽光発電所を有し得る。搬送装置はまた、例えば空港のラゲッジコンベヤーのように、個々のプラスチックセグメントから構成されてよく、例えば長さ２〜１３ｍ、幅５０ｃｍ〜１００ｃｍ、及び高さ１０〜５０ｃｍを有し得る。本発明による人体洗浄装置は、さらに少なくとも２つの成形体２を備え、この成形体はそれぞれ１つの体寸法開口部３を含み、その際開口部３は洗浄するべき人間のポーズ（姿勢）に対応する。成形体２は成形可能な材料、例えば石、断熱板、木、プラスチック、厚紙、発泡材料、スチロポール、又はこれらの混合形態であってよい。成形体２は、本発明により、洗浄するべき人間をコンベヤーベルトによって少なくとも２つの成形体又はその体寸法開口部を通って搬送されるように形成され、その際例えばさまざまな成形体によって洗浄するべき人間がさまざまなポーズ（例えば図３ａ〜図３ｆ参照）をとらなければならず、例えば水で濡らす、泡立てる、こすり洗う、マッサージする、乾燥する、香料を塗布するなどのさまざまな洗浄ステップも、それぞれの成形体によって実施される。成形体２は、有利には高さ２００ｃｍ〜３００ｃｍ、幅２００ｃｍ〜３００ｃｍ、奥行き２０ｃｍ〜５０ｃｍを有している。有利には本発明による人体洗浄装置は４〜６つのそのような成形体２を備えている。例えば洗浄するべき人間の体寸法を検出するために第一の成形体２の上又は中にスキャン装置１が配置され得る。その体寸法開口部３が例えば第一の成形体の体寸法開口部とは別の姿勢に対応する第二の成形体の中には、噴射ノズル５が水、石けん又は泡を塗布するために配置され得る。別の成形体は、洗浄するべき人間に泡を塗る手段を有することもできるだろう。ここでは泡は例えばノズルから噴射されるか又は例えば発泡体ローラーを使用して洗浄するべき人間に塗布され得る。好ましい一実施形態により、発泡体ローラーを含む成形体の各開口部は、コンベヤーベルトの走行方向で洗浄するべき体の左右にそれぞれ２つの発泡体ローラーが両面から成形体から出て来て、洗浄するべき人間の体の前に沿って、再び戻り、その面を経て人間の裏面へと動く。こうして有利には顔だけを除き、全身が石けんで濡らされるようになる。
【００２５】
以下の成形体では、有利には水ノズルが配置され得、この水ノズルは洗浄するべき人間から泡を洗い落とす。以下の成形体では、例えば空気ノズルが乾燥ノズルとして配置され得、これを通って有利には温風が洗浄するべき人間に放出される。空気ノズルは例えばスリット状に形成されてよく、その結果例えば洗浄され暖められた空気が、高圧及び高速で、場合によって着用しているマイクロファイバー肌着を含む体を乾かす。有利にはすべてのノズル５又はスキャン装置１も、成形体の輪郭から突出しないように、成形体２の中又はそれに接して配置されるか又は内蔵されてよい。この配置によって、洗浄するべき人間がノズル５又はスキャン装置１に接触してケガをすることが防止され得る。
【００２６】
本発明の有利な実施形態により、例えば搬送装置４の走行方向で最後の成形体はノズルを含み、これを通って香料、例えば消臭剤又は類似のものが、洗浄するべき人間に放出される。有利には香料が４つの香料拡散器ノズルから噴霧される。
【００２７】
本発明の有利な一実施形態により、人体洗浄装置は制御装置を備え、この制御装置を使って洗浄するべき人間は例えば石けん及び香料を用意された多数の石けん及び香料から選択することができる。また水温及び乾燥空気温度は有利にはこの制御装置によって調整可能であり得る。図３ａ〜図３ｆは、例としてさまざまな形態の体寸法開口部を備えたさまざまな成形体を示している。図３ａ〜図３ｆから見て取れるのは、体寸法開口部がそれぞれ洗浄するべき人間の１つのポーズ又は姿勢に対応していることである。有利には、本発明による人体洗浄装置にはさまざまな成形体がさまざまな体寸法開口部もしくはさまざまなポーズに相応して備えられている。例えば開口部３は図３ｅ）により「乾燥ポーズ」、図３ｃ）により「泡ポーズ」、又は図３ｆ）により「フィニッシャーポーズ」に相当するかもしれない。該当する姿勢に対応する成形体の開口部を通って洗浄するべき人間はある特定の姿勢をとるように強制され得、その結果対応して配置された噴射ノズル、洗浄ノズル、又は泡ノズルによって体の任意のどの箇所をも洗浄し得る。しかしまた祭りにおける娯楽目的でも、洗浄するべき人間のさまざまなポーズを使用することができる。例えば最後の成形体は勝利のポーズを表してもいいだろう。
【００２８】
例となる図１の実施形態に示されたように、噴射ノズル５はしたがって例えば洗浄するべき人間の脚の間及び／又は腋の下にも配置することができる。本発明による人体洗浄装置の噴射ノズル５は調整可能に形成されており、その結果噴射ノズルはスキャン装置で判定された洗浄するべき人間の体寸法に応じて調整され得る。この調整手段により、確実な洗浄が、洗浄するべき人間をケガさせることなく保証し得る。調整可能な噴射ノズルは、例えば個別に又はグループで、例えばモーター駆動式のリニア駆動によって洗浄するべき人間の体寸法に応じた、洗浄するべき人間の体との間のきめられた距離に調整され得る。有利には噴射ノズルの数は３〜３０個になり得る。特に有利には、例えば１５個の面濡らしノズルが例えば３０ｃｍの間隔で開口部に沿って成形体内に、及び腋、臀部、股などの的確に洗浄するべき箇所に配置されている。広範囲にわたりかつ衛生的に洗浄するために、噴射ノズルは有利にはその噴霧角度が変更可能なように形成され得る。
【００２９】
人体洗浄装置を例えばある行事（イベント）から他へ輸送するか又はそれを危機的な地域にも投入可能にするため、本発明による人体洗浄装置は、図２に示されたように、容器６にも配置され得る。容器６は例えば規格化されている貨物コンテナで、例えば２０インチサイズ（長さ６．０９５ｍ、幅２．３５２ｍ、高さ２．３９３ｍ）又は４０インチサイズ（長さ１２．０３２ｍ、幅２．３５２ｍ、高さ２．３９３ｍ）であってよい。したがって特に有利には成形体２の寸法は容器６内の配置の場合、高さ２１０ｃｍ、幅２２７ｃｍ及び奥行き２０ｃｍである。他の容器、例えば工事現場に使用される例えばトレーラー又は住居コンテナも可能である。
【００３０】
個々の成形体２の間の最適な安全性を保証するため、２つの、容器６内に配置されている人体洗浄装置には避難扉７を配置し得る。容器６は開口部又は窓を含むか、又は、例えばイベントのために全体が透明に仕上げられてもよい。
【００３１】
別の有利な一実施形態では、発明による人体洗浄装置には加熱装置が備えられ、この加熱装置は例えばヒーターブロワーを使用して人体洗浄装置の部屋を暖め、及び／又は例えば成形体の空気ノズルを通して吹き出した空気を暖める。この方法では、例えば容器６内も洗浄に快適な温度に調節することができる。しかしヒーターブロワーは冬季の百貨店のエアロックに似て、屋外に設置された本発明による人体洗浄装置の場合に、つまり容器６内には配置されていない装置の場合、身体洗浄のための快適な温度を生じさせ得る。
【００３２】
洗浄するべき人間を乾燥するための空気ノズルの代わりに、本発明の人体洗浄装置は例えば吸収力のある材料、例えばマイクロファイバークロス、スポンジ材、木綿布又はそれに類似したものから成る吊下げた乾燥帯を有し得る。例えば洗浄した身体の血行をよくするために、例えばゴムローラーのようなマッサージ装置も成形体内に配置されてよい。
【００３３】
本発明による人体洗浄装置は、例えばマッサージモジュール又は乾燥モジュールのような個々のモジュールが、既存の人体洗浄装置に後付けで補足され得るようにモジュラー式に構成されてよい。
【符号の説明】
【００３４】
１  スキャン装置
２  成形体
３  体寸法開口部
４  搬送装置
５  噴射ノズル
６  容器
７  避難扉
【図１】
0005975403.tif 000002
【図２】
0005975403.tif 000003
【図３】
0005975403.tif 000004